(57)【要約】      （修正有）【課題】細胞を破壊することなく肉片をスライス可能な肉片切断方法を提供する。【解決手段】肉片切断方法は、環状切り刃の断面がＶ字状に形成された切削ブレードで基板１８の表面１８ａを切削してピラミッド状の複数の突起２２を形成する突起基板形成工程と、ピラミッド状の複数の突起２２が形成された基板１８の表面１８ａに肉片２４を載置する載置工程と、基板１８に載置された肉片２４を円形カッター３０で切断する切断工程とから構成される。【選択図】図３
2020063949.tif 000002
【特許請求の範囲】
【請求項１】
肉片を切断する肉片切断方法であって、
環状切り刃の断面がＶ字状に形成された切削ブレードで基板の表面を切削してピラミッド状の複数の突起を形成する突起基板形成工程と、
ピラミッド状の複数の突起が形成された基板の表面に肉片を載置する載置工程と、
該基板に載置された肉片を円形カッターで切断する切断工程と、
から少なくとも構成される肉片切断方法。
【請求項２】
該切断工程において、ピラミッド状の突起間に円形カッターの刃先を位置づけ円形カッターの刃先と該基板の表面との間に間隙を設けた状態で肉片を切断する、請求項１記載の肉片切断方法。
【請求項３】
物質を支持する支持基板であって、
表面に複数のピラミッド状の突起が形成されている支持基板。
【発明の詳細な説明】
【技術分野】
【０００１】
本発明は、肉片を切断する肉片切断方法および物質を支持する支持基板に関する。
【背景技術】
【０００２】
がん細胞等の微細な肉片をスライスして検査する場合には、肉片を切断する際の肉片の移動を抑制するため、肉片を凍結させた後にスライスして顕微鏡で観察することが行われている（たとえば特許文献１参照。）。
【先行技術文献】
【特許文献】
【０００３】
【特許文献１】特開２０１１−２３２２９９号公報
【発明の概要】
【発明が解決しようとする課題】
【０００４】
しかし、肉片を凍結することによって細胞が破壊されてしまう場合がある。
【０００５】
上記事実に鑑みてなされた本発明の課題は、細胞を破壊することなく肉片をスライス可能な肉片切断方法、および細胞を破壊することなく肉片をスライス可能とする支持基板を提供することである。
【課題を解決するための手段】
【０００６】
上記課題を解決するために本発明の第一の局面が提供するのは以下の肉片切断方法である。すなわち、肉片を切断する肉片切断方法であって、環状切り刃の断面がＶ字状に形成された切削ブレードで基板の表面を切削してピラミッド状の複数の突起を形成する突起基板形成工程と、ピラミッド状の複数の突起が形成された基板の表面に肉片を載置する載置工程と、該基板に載置された肉片を円形カッターで切断する切断工程と、から少なくとも構成される肉片切断方法である。
【０００７】
該切断工程において、ピラミッド状の突起間に円形カッターの刃先を位置づけ円形カッターの刃先と該基板の表面との間に間隙を設けた状態で肉片を切断するのが好ましい。
【０００８】
上記課題を解決するために本発明の第二の局面が提供するのは以下の支持基板である。すなわち、物質を支持する支持基板であって、表面に複数のピラミッド状の突起が形成されている支持基板である。
【発明の効果】
【０００９】
本発明の第一の局面が提供する肉片切断方法は、環状切り刃の断面がＶ字状に形成された切削ブレードで基板の表面を切削してピラミッド状の複数の突起を形成する突起基板形成工程と、ピラミッド状の複数の突起が形成された基板の表面に肉片を載置する載置工程と、該基板に載置された肉片を円形カッターで切断する切断工程と、から少なくとも構成されているので、肉片を切断する際の肉片の移動をピラミッド状の突起で抑制することができ、肉片を凍結しなくても肉片をスライスすることができる。したがって、本発明の肉片切断方法によれば、肉片を凍結することによる細胞の破壊を回避して肉片をスライスすることができる。
【００１０】
本発明の第二の局面が提供する支持基板は、表面に複数のピラミッド状の突起が形成されているので、肉片を切断する際の肉片の移動をピラミッド状の突起で抑制することができ、肉片を凍結しなくても肉片をスライスすることができる。したがって、本発明の支持基板によれば、肉片を凍結することによる細胞の破壊を回避して肉片をスライスすることが可能となる。
【図面の簡単な説明】
【００１１】
【図１】（ａ）加工前支持基板を切削装置のチャックテーブルに載置する状態を示す斜視図、（ｂ）突起基板形成工程を実施している状態を示す斜視図。
【図２】肉片載置工程を実施している状態を示す斜視図。
【図３】（ａ）切断工程を実施している状態を示す斜視図、（ｂ）切断工程を実施している状態を示す断面図、（ｃ）切断された肉片の斜視図。
【発明を実施するための形態】
【００１２】
以下、本発明に係る肉片切断方法および支持基板の好適実施形態について図面を参照しつつ説明する。
【００１３】
本発明の肉片切断方法では、まず、環状切り刃の断面がＶ字状に形成された切削ブレードで基板の表面を切削してピラミッド状の複数の突起を形成する突起基板形成工程を実施する。突起基板形成工程は、たとえば図１に一部を示す切削装置２を用いて実施することができる。
【００１４】
切削装置２は、被加工物を吸引保持するチャックテーブル４と、チャックテーブル４に吸引保持された被加工物を切削する切削手段６とを備える。図１（ａ）に示すとおり、チャックテーブル４の上端部分には、吸引手段（図示していない。）に接続された多孔質の吸着チャック８が配置され、チャックテーブル４においては、吸引手段で吸着チャック８の上面に吸引力を生成することにより吸着チャック８の上面に載せられた被加工物を吸引保持するようになっている。また、チャックテーブル４は、上下方向に延びる軸線を中心として回転自在に構成されていると共に、図１（ｂ）に矢印Ｘで示すＸ軸方向に移動自在に構成されている。
【００１５】
図１（ｂ）に示すとおり、切削手段６は、Ｘ軸方向に直交するＹ軸方向（図１（ｂ）に矢印Ｙで示す方向）を軸心として回転自在に構成されたスピンドル１０と、スピンドル１０の先端に固定された切削ブレード１２とを含む。切削ブレード１２は、アルミニウム合金等の適宜の金属材料から形成され得る環状基台１４と、環状基台１４の外周縁に固定された環状切り刃１６とを有する。環状切り刃１６は、ダイヤモンド砥粒をメタルボンドやレジンボンド等の結合剤で固めて所定厚み（たとえば５００μｍ程度）に形成されている。また、図１（ｂ）に示すとおり、環状切り刃１６の断面は、刃先角度αが９０°のＶ字状に形成されている。なお、刃先角度αの範囲は６０°≦α≦１２０°程度でよい。
【００１６】
図１を参照して説明を続けると、突起基板形成工程では、まず、シリコン等の適宜の硬質材料から形成され得る基板１８をチャックテーブル４の上面で吸引保持する。次いで、図１（ｂ）に矢印Ａで示す方向に高速回転させた切削ブレード１２の環状切り刃１６を基板１８の表面１８ａから所定深さ（たとえば１００〜２００μｍ）だけ切り込ませると共に、切削手段６に対してチャックテーブル４を相対的にＸ軸方向に加工送りすることによって、基板１８の表面１８ａを切削してＶ字状溝２０を形成するＶ字状溝形成加工を施す。
【００１７】
そして、適宜の距離（たとえば１００〜３００μｍ）だけ、チャックテーブル４に対して切削ブレード１２を相対的にＹ軸方向に割り出し送りしながらＶ字状溝形成加工を繰り返し、互いに平行な複数のＶ字状溝２０を基板１８の表面１８ａに形成する。また、チャックテーブル４を９０度回転させた上で、割り出し送りしながらＶ字状溝形成加工を繰り返し、先に形成した複数のＶ字状溝２０と直交する複数のＶ字状溝２０を形成する。このようにして突起基板形成工程を実施して格子状にＶ字状溝２０を形成することにより、図２に示すとおり、基板１８の表面１８ａにピラミッド状の複数の突起２２を形成することができる。
【００１８】
突起基板形成工程を実施した後、図２に示すとおり、ピラミッド状の複数の突起２２が形成された基板１８の表面１８ａに肉片２４（たとえば人間や動物の内蔵細胞）を載置する載置工程を実施する。
【００１９】
載置工程を実施した後、基板１８に載置された肉片２４を円形カッターで切断する切断工程を実施する。切断工程は、たとえば図３に一部を示す切断装置２６を用いて実施することができる。切断装置２６は、回転自在に構成されたスピンドル２８と、スピンドル２８の先端に固定された円形カッター３０とを含む。適宜の超硬材料から形成され得る円形カッター３０の厚みは、たとえば２０μｍ程度でよい。
【００２０】
図３を参照して説明を続けると、切断工程では、まず、基板１８の表面１８ａに形成されたＶ字状溝２０をＸ軸方向に整合させる。また、切断装置２６の円形カッター３０をＸ軸方向に整合させると共に、肉片２４の上方であってピラミッド状の突起２２間に円形カッター３０の刃先を位置づける。次いで、図３（ａ）に矢印Ｂで示す方向に円形カッター３０を高速回転させ、円形カッター３０の刃先を肉片２４に切り込ませると共に、切断装置２６と支持基板１８とを相対的にＸ軸方向に加工送りすることにより、肉片２４を円形カッター３０で切断する。図示の実施形態では図３（ｂ）に示すとおり、円形カッター３０の刃先と基板１８の表面１８ａとの間に間隙を設けた状態で肉片２４を円形カッター３０で切断している。なお、切断された肉片２４の例を図３（ｃ）に示す。
【００２１】
以上のとおりであり、図示の実施形態では、表面１８ａに複数のピラミッド状の突起２２が形成された基板１８（支持基板）に肉片２４を載置した状態で肉片２４を切断するので、肉片２４を切断する際の肉片２４の移動をピラミッド状の突起２２で抑制することができ、肉片２４を凍結しなくても肉片２４をスライスすることができる。したがって、図示の実施形態では、肉片２４を凍結することによる細胞の破壊を回避して肉片２４をスライスすることができる。
【符号の説明】
【００２２】
１２：切削ブレード
１６：環状切り刃
１８：基板
１８ａ：基板の表面
２２：ピラミッド状の突起
２４：肉片
３０：円形カッター
【図１】
2020063949.tif 000003
【図２】
2020063949.tif 000004
【図３】
2020063949.tif 000005